(57)【要約】【課題】薄型ディスプレイを縦置き状態、横置き状態に容易に配設向きを切り替えることができる画期的な薄型ディスプレイ取り付け装置を提供することを目的とする。【解決手段】基盤部１と、基盤部１に回動自在に設けた回動部２と、この回動部２を、該回動部２に係着した薄型ディスプレイＤが縦置き状態となる０°位置及び横置き状態となる９０°位置に位置決める位置決め機構３と、この位置決め機構３によって前記０°位置又は前記９０°位置に位置決めした前記回動部２を回動不能にする回動ロック機構４とから成る薄型ディスプレイ取り付け装置。【選択図】図１
0003182782.tif 000002
【実用新案登録請求の範囲】
【請求項１】
壁面又は立設状態に設けた支持体に薄型ディスプレイを取り付けるための薄型ディスプレイ取り付け装置であって、前記壁面又は前記支持体に設ける基盤部と、前記薄型ディスプレイと係着し前記基盤部に回動自在に設けた回動部と、この回動部を、該回動部に係着した薄型ディスプレイが縦置き状態となる０°位置及び横置き状態となる９０°位置に位置決める位置決め機構と、この位置決め機構によって前記０°位置又は前記９０°位置に位置決めした前記回動部を回動不能にする回動ロック機構とから成り、前記位置決め機構は、前記基盤部と前記回動部のいずれか一方に設けた落ち込み係合部と、いずれか他方に設けた係合凸部とで構成し、前記回動部が前記０°位置又は前記９０°位置に配された際に、前記落ち込み係合部に前記係合凸部がバネ付勢により落ち込み係合してこの回動部を位置決めするように構成し、前記回動ロック機構は、前記基盤部に設けた基体部側係止部と、前記回動部に設けた回動部側係止部と、連通状態となった前記基体部側係止部と前記回動部側係止部とに係合する係止ピンとで構成し、前記回動部が前記０°位置及び前記９０°位置に配された際に、前記基体部側係止部と前記回動部側係止部とが連通状態になり、この連通状態の前記基体部側係止部と前記回動部側係止部とに前記係止ピンを係合し、この係止ピンに前記基体部側係止部と前記回動部側係止部との夫々が係止して前記回動部を回動不能にするように構成したことを特徴とする薄型ディスプレイ取り付け装置。
【請求項２】
前記基盤部に、前記回動部の回動範囲を９０°に規制する回動規制部を設けたことを特徴とする請求項１記載の薄型ディスプレイ取り付け装置。
【請求項３】
前記回動ロック機構は、前記基盤部の上部側に設けた前記基体部側係止部と、前記回動部に設け、この回動部が前記０°位置の状態となった際に前記基体部側係止部と連通状態になる０°位置回動部側係止部と、前記回動部が前記９０°位置の状態となった際に前記基体部側係止部と連通状態になる９０°位置回動部側係止部と、前記係止ピンとで構成し、前記基体部側係止部と前記０°位置回動部側係止部若しくは前記９０°位置回動部側係止部とを連通状態にして前記係止ピンを前記基体部側係止部の上方側から差し込み係合して前記回動部を回動不能にするように構成したことを特徴とする請求項１，２のいずれか１項に記載の薄型ディスプレイ取り付け装置。
【請求項４】
前記基盤部は、取付用基体部を介して前記壁面又は立設状態に設けた支持体に設けるように構成し、前記取付用基体部は、前記壁面又は立設状態に設けた支持体に固定状態若しくは角度調整自在に取り付ける取付部と、前記基盤部に設け前記取付部に着脱自在に引掛け係止する引掛け係止部とで構成したことを特徴とする請求項１〜３のいずれか１項に記載の薄型ディスプレイ取り付け装置。
【請求項５】
前記回動部が回動している際、前記係合凸部が前記基盤部の表面又は前記回動部の裏面にバネ付勢により当接するように構成し、この係合凸部の当接により回動部が回動する際に回動抵抗が生じて、前記回動部が遊転状態にならないように構成したことを特徴とする請求項１〜４のいずれか１項に記載の薄型ディスプレイ取り付け装置。
【考案の詳細な説明】
【技術分野】
【０００１】
本考案は、壁面又は立設状態に設けた支持体に薄型ディスプレイを取り付けるための薄型ディスプレイ取り付け装置に関するものである。
【背景技術】
【０００２】
近年、デジタル技術を活用し、薄型ディスプレイに映像、画像、文字情報を表示させる電子看板の普及が加速化している。
【０００３】
この電子看板は、表示内容を容易に切り替えることができ、また、従来のポスタやボード方式の看板では実現し得なかった動画表示も可能であり、多様な映像広告を展開することができるものである。
【考案の概要】
【考案が解決しようとする課題】
【０００４】
この電子看板は、設置場所の状況や表示内容によって、薄型ディスプレイを縦置きに配設したほうが良い場合と、横置きに配設したほうが良い場合があるが、従来の電子看板は、薄型ディスプレイの配設向きが固定されており、表示内容自体は、コンピュータ処理によって縦向き、横向きに切り替えることができても、これに合わせて薄型ディスプレイの配設向きを変更することができず、薄型ディスプレイの画面を有効に利用した十分な宣伝効果を発揮することができないことがあった。
【０００５】
本考案は、上述のような現状に鑑み、設置場所の状況や表示内容に合わせて、薄型ディスプレイを縦置き状態、横置き状態に容易に配設向きを切り替えることができる画期的な薄型ディスプレイ取り付け装置を提供することを目的とする。
【課題を解決するための手段】
【０００６】
添付図面を参照して本考案の要旨を説明する。
【０００７】
壁面又は立設状態に設けた支持体Ｓに薄型ディスプレイＤを取り付けるための薄型ディスプレイ取り付け装置であって、前記壁面又は前記支持体Ｓに設ける基盤部１と、前記薄型ディスプレイＤと係着し前記基盤部１に回動自在に設けた回動部２と、この回動部２を、該回動部２に係着した薄型ディスプレイＤが縦置き状態となる０°位置及び横置き状態となる９０°位置に位置決める位置決め機構３と、この位置決め機構３によって前記０°位置又は前記９０°位置に位置決めした前記回動部２を回動不能にする回動ロック機構４とから成り、前記位置決め機構３は、前記基盤部１と前記回動部２のいずれか一方に設けた落ち込み係合部５と、いずれか他方に設けた係合凸部６とで構成し、前記回動部２が前記０°位置又は前記９０°位置に配された際に、前記落ち込み係合部５に前記係合凸部６がバネ付勢により落ち込み係合してこの回動部２を位置決めするように構成し、前記回動ロック機構４は、前記基盤部１に設けた基体部側係止部７と、前記回動部２に設けた回動部側係止部８と、連通状態となった前記基体部側係止部７と前記回動部側係止部８とに係合する係止ピン９とで構成し、前記回動部２が前記０°位置及び前記９０°位置に配された際に、前記基体部側係止部７と前記回動部側係止部８とが連通状態になり、この連通状態の前記基体部側係止部７と前記回動部側係止部８とに前記係止ピン９を係合し、この係止ピン９に前記基体部側係止部７と前記回動部側係止部８との夫々が係止して前記回動部２を回動不能にするように構成したことを特徴とする薄型ディスプレイ取り付け装置に係るものである。
【０００８】
また、前記基盤部１に、前記回動部２の回動範囲を９０°に規制する回動規制部10を設けたことを特徴とする請求項１記載の薄型ディスプレイ取り付け装置に係るものである。
【０００９】
また、前記回動ロック機構４は、前記基盤部１の上部側に設けた前記基体部側係止部７と、前記回動部２に設け、この回動部２が前記０°位置の状態となった際に前記基体部側係止部７と連通状態になる０°位置回動部側係止部８Ａと、前記回動部２が前記９０°位置の状態となった際に前記基体部側係止部７と連通状態になる９０°位置回動部側係止部８Ｂと、前記係止ピン９とで構成し、前記基体部側係止部７と前記０°位置回動部側係止部８Ａ若しくは前記９０°位置回動部側係止部８Ｂとを連通状態にして前記係止ピン９を前記基体部側係止部７の上方側から差し込み係合して前記回動部２を回動不能にするように構成したことを特徴とする請求項１，２のいずれか１項に記載の薄型ディスプレイ取り付け装置に係るものである。
【００１０】
また、前記基盤部１は、取付用基体部11を介して前記壁面又は立設状態に設けた支持体Ｓに設けるように構成し、前記取付用基体部11は、前記壁面又は立設状態に設けた支持体Ｓに固定状態若しくは角度調整自在に取り付ける取付部12と、前記基盤部１に設け前記取付部12に着脱自在に引掛け係止する引掛け係止部13とで構成したことを特徴とする請求項１〜３のいずれか１項に記載の薄型ディスプレイ取り付け装置に係るものである。
【００１１】
また、前記回動部２が回動している際、前記係合凸部６が前記基盤部１の表面又は前記回動部２の裏面にバネ付勢により当接するように構成し、この係合凸部６の当接により回動部２が回動する際に回動抵抗が生じて、前記回動部２が遊転状態にならないように構成したことを特徴とする請求項１〜４のいずれか１項に記載の薄型ディスプレイ取り付け装置に係るものである。
【考案の効果】
【００１２】
本考案は上述のように構成したから、壁面又は立設状態に設けた支持体に取り付けた薄型ディスプレイを、設置場所の状況や表示内容に合わせて縦置き状態と横置き状態とに容易に配設向きを切り替えることができ、これにより、広告、宣伝など表示したい画像や映像にマッチしたレイアウトでこれらを薄型ディスプレイに表示させることができるので、より高い宣伝効果を発揮することができ、更に、例えば、通常は縦置き状態で電子看板として使用し、地震や台風等の災害発生時に横置き状態にして災害緊急放送を表示することもでき、薄型ディスプレイを様々な用途に使用することが可能となる極めて実用性に優れた画期的な薄型ディスプレイ取り付け装置となる。
【００１３】
しかも、本考案は、位置決め機構により薄型ディスプレイを縦置き状態となる０°位置及び横置き状態となる９０°位置に容易に位置決めることができ、更に、この所望の向きに位置決めた薄型ディスプレイを、基体部側係止部、回動部側係止部、係止ピンから成る極めて簡易な構成の回動ロック機構により回動不能にして、所望の配設向きの状態を保持することができる実用性に優れた画期的な薄型ディスプレイ取り付け装置となる。
【００１４】
また、請求項２記載の考案においては、回動部に係着した薄型ディスプレイを縦置き状態から横置き状態にする、或いは横置き状態から縦置き状態にするための回動範囲を９０°に規制することで、誤って薄型ディスプレイの配設向きを上下逆向きにすることを防止できるので、回動する際、一々薄型ディスプレイの上下方向を確認する必要がなく容易に薄型ディスプレイを縦置き状態又は横置き状態に切り替えることができる実用性に優れた薄型ディスプレイ取り付け装置となる。
【００１５】
また、請求項３記載の考案においては、回動ロック機構を簡易な構成で容易に設計実現可能となり、更に、ロック・解除の操作性にも優れた実用性に優れた画期的な薄型ディスプレイ取り付け装置となる。
【００１６】
また、請求項４記載の考案においては、薄型ディスプレイの角度を自在に調整することができるようになり、これによって薄型ディスプレイの設置高さを変更しても常に薄型ディスプレイを見易い角度に調整することができ、しかも、壁面又は立設状態に設けた支持体に対して薄型ディスプレイを容易に着脱することができるので、取り付け、取り外し作業を一層容易にできる実用性に優れた画期的な薄型ディスプレイ取り付け装置となる。
【００１７】
また、請求項５記載の考案においては、薄型ディスプレイを回動させる際、適度な回動抵抗が生じ、薄型ディスプレイが勢いよく回動せず、適正な回動速度で回動操作することができる実用性に優れた薄型ディスプレイ取り付け装置となる。
【図面の簡単な説明】
【００１８】
【図１】本実施例の回動部が０°位置にある状態を示す斜視図である。
【図２】本実施例の回動部が回動中にある状態を示す斜視図である。
【図３】本実施例の回動部が９０°位置にある状態を示す斜視図である。
【図４】本実施例の基盤部及び回動部を示す分解斜視図である。
【図５】本実施例の基盤部及び回動部を示す分解斜視図である。
【図６】本実施例の位置決め機構を示す説明図である。
【図７】本実施例を薄型ディスプレイに係着する際の作業状態を示す説明図である。
【図８】本実施例を薄型ディスプレイに係着した状態を示す正面図である。
【図９】本実施例の使用状態（支持体取付前の状態）を示す説明斜視図である。
【図１０】本実施例の使用状態を示す説明斜視図である。
【図１１】本実施例の支持体への取り付け作業状態を示す説明図である。
【図１２】本実施例を支持体に取り付けた状態を示す説明図である。
【考案を実施するための形態】
【００１９】
好適と考える本考案の実施形態を、図面に基づいて本考案の作用を示して簡単に説明する。
【００２０】
基盤部１を、壁面又は立設状態に設けた支持体Ｓ（例えば、柱やスタンドなど）に固定状態に設ける。
【００２１】
また、薄型ディスプレイＤを、この基盤部１に回動自在に設けた回動部２に係着する。
【００２２】
これにより、薄型ディスプレイＤは、壁面又は立設状態に設けた支持体Ｓに対して回動自在に設けられた状態となり、縦置き状態と横置き状態に自在に切り替えることができることとなる。
【００２３】
また、本考案は、回動部２に係着した薄型ディスプレイＤを縦置き状態から横置き状態へ、或いは横置き状態から縦置き状態へ配設向きを切り替えるために薄型ディスプレイＤを９０°回動させると、基盤部１若しくは薄型ディスプレイＤと係着した回動部２のいずれか一方に設けた落ち込み係合部５に、他方に設けた係合凸部６がバネ付勢により落ち込み係合して、回動部２が、薄型ディスプレイＤが縦置き状態となる０°位置若しくは横置き状態となる９０°位置に位置決められる。
【００２４】
即ち、本考案は、一々、薄型ディスプレイＤの配設状態が正確に縦置き状態（垂直状態）若しくは横置き状態（水平状態）になったかどうかを確認しながら薄型ディスプレイＤを回動させる必要が無く、位置決め機構３により容易に且つ正確に薄型ディスプレイＤを縦置き状態若しくは横置き状態にすることができることとなる。
【００２５】
更に、この回動部２が０°位置若しくは９０°位置に位置決められると、基盤部１に設けた基体部側係止部７と、回動部２に設けた回動部側係止部８とが連通状態になり、この連通状態になった基体部側係止部７と回動部側係止部８とに係止ピン９を係合させると、基体部側係止部７に係止した係止ピン９に回動部側係止部８が係止することで、回動部側係止部８を設けた回動部２が基体部側係止部７を設けた基盤部１に対して回動不能となり（回動部２の回動がロックされ）、薄型ディスプレイＤの縦置き状態若しくは横置き状態の配設状態が保持されることとなる。
【００２６】
また、薄型ディスプレイＤの配設向きを切り替える際は、基体部側係止部７と回動部側係止部８とに係合している係止ピン９を係合解除して回動ロック機構４をロック解除し、バネ付勢により落ち込み係合部５に落ち込み係合している係合凸部６の落ち込み係合を解除させて薄型ディスプレイＤを回動することにより、容易に薄型ディスプレイＤを所望の配設向きに切り替えることができる。
【００２７】
このように、本考案は、壁面又は立設状態に設けた支持体Ｓに取り付けた薄型ディスプレイＤを、設置場所の状況や表示内容に合わせて縦置き状態と横置き状態とに容易に配設向きを切り替えることができ、これにより、広告、宣伝など表示したい画像や映像にマッチしたレイアウトでこれらを薄型ディスプレイＤに表示させることができるので、より高い宣伝効果を発揮することができ、更に、例えば、通常は縦置き状態で電子看板として使用し、地震や台風等の災害発生時に横置き状態にして災害緊急放送を表示することもでき、薄型ディスプレイＤを様々な用途に使用することが可能となる極めて実用性に優れた画期的な薄型ディスプレイ取り付け装置となる。
【００２８】
しかも、本考案は、位置決め機構３により薄型ディスプレイＤを縦置き状態となる０°位置及び横置き状態となる９０°位置に容易に位置決めることができ、更に、この所望の向きに位置決めた状態の薄型ディスプレイＤを、基体部側係止部７、回動部側係止部８、係止ピン９から成る極めて簡易な構成の回動ロック機構４により、この薄型ディスプレイＤを回動不能にして所望の配設向きの状態を保持することができる実用性に優れた画期的な薄型ディスプレイ取り付け装置となる。
【実施例】
【００２９】
本考案の具体的な実施例について図面に基づいて説明する。
【００３０】
本実施例は、壁面又は立設状態に設けた支持体Ｓに薄型ディスプレイＤを取り付けるための薄型ディスプレイ取り付け装置であって、前記壁面又は前記支持体Ｓに設ける基盤部１と、前記薄型ディスプレイＤと係着し前記基盤部１に回動自在に設けた回動部２と、この回動部２を、該回動部２に係着した薄型ディスプレイＤが縦置き状態となる０°位置及び横置き状態となる９０°位置に位置決める位置決め機構３と、この位置決め機構３によって前記０°位置又は前記９０°位置に位置決めした前記回動部２を回動不能にする回動ロック機構４とから成り、前記位置決め機構３は、前記基盤部１と前記回動部２のいずれか一方に設けた落ち込み係合部５と、いずれか他方に設けた係合凸部６とで構成し、前記回動部２が前記０°位置又は前記９０°位置に配された際に、前記落ち込み係合部５に前記係合凸部６がバネ付勢により落ち込み係合してこの回動部２を位置決めするように構成し、前記回動ロック機構４は、前記基盤部１に設けた基体部側係止部７と、前記回動部２に設けた回動部側係止部８と、連通状態となった前記基体部側係止部７と前記回動部側係止部８とに係合する係止ピン９とで構成し、前記回動部２が前記０°位置及び前記９０°位置に配された際に、前記基体部側係止部７と前記回動部側係止部８とが連通状態になり、この連通状態の前記基体部側係止部７と前記回動部側係止部８とに前記係止ピン９を係合し、この係止ピン９に前記基体部側係止部７と前記回動部側係止部８との夫々が係止して前記回動部２を回動不能にするように構成したものである。
【００３１】
また、本実施例は、基盤部１を、取付用基体部11を介して立設状態に設けた支持体Ｓに設けるように構成した場合のものである。
【００３２】
以下に、本実施例の薄型ディスプレイ取り付け装置に係る構成各部について詳細に説明する。
【００３３】
本実施例の基盤部１は、回動部２の回動軸14を挿通し得る挿通孔15と、回動部２を０°位置又は９０°位置に位置決める位置決め機構３を構成する落ち込み係合部５と、回動部２を回動不能にする回動ロック機構４を構成する基体部側係止部７と、回動部２の回動範囲を規制する回動規制部10を設けた構成としている。
【００３４】
具体的には、挿通孔15は、方形状に形成した基盤部１の中心部に穿孔した構成としている。
【００３５】
また、落ち込み係合部５は、係合凸部６の先端部が落ち込み係合し得る凹状に形成した構成とし、本実施例では、上述した挿通孔15を中心とする正方形の各角部にあたる位置に貫通孔を穿孔してこれらの貫通孔を落ち込み係合部５とした構成としている。
【００３６】
また、基体部側係止部７は、係止ピン９を貫通配設し得る貫通孔16を形成し、基盤部１の表面上部側に前方に向かって突設した構成としている。
【００３７】
また、回動規制部10は、回動部２に当接し得る二つの当接面10Ａ（面でなく当接部でもよい）を有し、一方の当接面10Ａは、回動部２を０°位置の状態から反時計回りに回動させようとした際にこの回動部２と当接する位置に配設して、この回動部２が回動することを阻止し、もう一方の当接面10Ａは、回動部２を０°位置の状態から時計回りに９０°回動させた際に回動規制部10と当接する位置に配設して、この回動部２が９０°以上回動することを阻止するように構成している。
【００３８】
即ち、本実施例は、この回動規制部10により回動部２の回動範囲を９０°に規制した構成とし、詳しくは、回動部２が０°位置の状態と、この０°位置から時計回りに９０°回動した９０°位置の状態となる範囲でしか回動しないように構成している。
【００３９】
尚、符号17は、基盤部１に回動部２を設けた状態で回動部２に薄型ディスプレイＤを係着する際に、係着用の固定ネジを挿入したり、この固定ネジを締付作業する際のドライバー等を挿入したりすることができ、基盤部１に回動部２を設けた状態でも薄型ディスプレイＤの係着作業を容易にするために形成した係着作業用孔であり、符号18は、回動部２の下方側が内方に押し込まれ傾斜状態になることを防止する傾斜防止用当接部である。
【００４０】
また、この基盤部１に回動自在に設けられる回動部２は、回動軸14と、前記位置決め機構３を構成する係合凸部６と、前記回動ロック機構４を構成する回動部側係止部８と、薄型ディスプレイＤと係着するディスプレイ係着部19を設けた構成としている。
【００４１】
具体的には、回動軸14はボルトを用いた構成とし、方形状に形成した回動部２の中心部に裏面側に突出状態に設けた構成としている。
【００４２】
また、係合凸部６は、バネ付勢によって先端部が突没自在に可動する構成としており、本実施例では、この係合凸部６としてボールプランジャを採用した構成とし、先端部を対向する基盤部１の表面に向けて裏面側に突出状態に設けた構成としている。
【００４３】
更に具体的に説明すると、本実施例ではこの係合凸部６を四つ設けた構成とし、各係合凸部６は、回動部２が０°位置及び９０°位置の状態の際に、前述した基盤部１に設けた四つの落ち込み係合部５に落ち込み係合する位置に設けた構成としている。
【００４４】
また更に、この係合凸部６は、回動部２が０°位置から９０°位置に回動する際、或いは、９０°位置から０°位置に回動する際、基盤部１の表面にバネ付勢により先端部が押圧状態に当接するように構成し、この係合凸部６の先端部が基盤部１の表面に押圧状態に当接することで回動部２が回動する際に適度な回動抵抗（例えば、人が手で容易に回せて且つ手を放すとその回動位置で停止した状態が保持される程度の回動抵抗）が生じて回動部２が遊転状態にならないように構成している。
【００４５】
また、回動部側係止部８は、回動部２を０°位置の状態とした際に基体部側係止部７と連通状態となる位置に配設した０°位置回動部側係止部８Ａと、回動部２を９０°位置の状態とした際に基体部側係止部７と連通状態となる位置に配設した９０°位置回動部側係止部８Ｂとで構成している。
【００４６】
この０°位置回動部側係止部８Ａと９０°位置回動部側係止部８Ｂは夫々、係止ピン９を貫通配設し得る貫通孔20を形成し、０°位置回動部側係止部８Ａの貫通孔20は、回動部２を０°位置の状態にした際に基体部側係止部７に設けた貫通孔16と上下方向に連通状態となるように形成し、９０°位置回動部側係止部８Ｂの貫通孔20は、回動部２を９０°位置の状態にした際に基体部側係止部７に設けた貫通孔16と上下方向に連通状態となるように形成している。
【００４７】
尚、本実施例では回動部側係止部８に貫通孔20を形成し、この貫通孔20に係止ピン９を挿通する構成としたが、例えば、回動部側係止部８に凹部を形成し、この凹部に係止ピン９が挿入配設されて係止するように構成しても良い。
【００４８】
また、ディスプレイ係着部19は、複数のネジ孔21を設けた帯板状に形成して回動部２の左右両側に設けた立ち上がり側壁部に外方に向けて連設した構成とし、本実施例は、このディスプレイ係着部19を薄型ディスプレイＤ側の係着部に係合しネジで螺着して回動部２と薄型ディスプレイＤとを係着する構成としている。
【００４９】
また、上述のように構成した回動部２は、ボルトから成る回動軸14を基盤部１の挿通孔15に挿通してナットで締め付けて設ける構成としているが、基盤部１の表側（基盤部１と回動部２との間）及び裏側（基盤部１とナットの間）に夫々、軸受部22（具体的には、スラスト軸受を採用）を介在させて、この軸受部22によりボルト・ナットで締め付け固定しても基盤部１に対して回動部２が回動自在に設けられるようにしている。
【００５０】
また、本実施例は、この回動部２を回動自在に設けた基盤部１を、取付用基体部11を介して支持体Ｓに設ける構成とし、取付用基体部11は、立設状態に設けた支持体Ｓに角度調整自在に取り付ける取付部12と、基盤部１に設け取付部12に着脱自在に引掛け係止する引掛け係止部13とで構成している。
【００５１】
具体的には、取付部12は、長方形状に形成し、上縁部と下縁部の夫々に引掛け係止部13を引掛け係止する帯状係止部23を設け、また、左右両側縁部にこの取付部12に引掛け係止した引掛け係止部13を左右方向にスライドさせた際、引掛け係止部13と当接し取付部12から脱落することを防止するためのストッパ24を設けた構成としている。
【００５２】
また、本実施例の取付部12は、支持体Ｓに螺着して取り付ける構成としており、この取付部12を支持体Ｓに螺着する際の下側ネジ孔を弧状の長孔に形成して、支持体Ｓに対して角度調整自在に取り付けることができる構成としている。
【００５３】
また、この取付部12に着脱自在に設ける引掛け係止部13は、上部側に取付部12の上側の帯状係止部23に引掛け係止する鉤状に形成した鉤状係止部25を設け、下部側に取付部12の下側の帯状係止部23に引掛け係止する可動係止部26を設けた構成とし、更に、この鉤状係止部25と可動係止部26との間に、上述した取付部12に設けたストッパ24に当接するストッパ当接部27を設けた構成としている。
【００５４】
更に詳細に説明すると、可動係止部26は、バネ付勢によって常に突出方向に押圧されて突出状態が保持されるように構成すると共に、この突出状態の可動係止部26にバネ付勢に抗する押圧力が加わると、この突出状態の可動係止部26が没入方向に可動するように構成して突没可動自在に設けた構成としている。
【００５５】
即ち、本実施例の引掛け係止部13は、取付部12に鉤状係止部25を引掛け係止した後、可動係止部26を設けたこの引掛け係止部13の下側を押圧すると、帯状係止部23に当接した可動係止部26が没入して前記帯状係止部23を乗り越え、この帯状係止部23を乗り越えた後、バネ付勢により自動的に突出して、取付部12の帯状係止部23に引掛け係止状態となるように構成している。
【００５６】
尚、符号28は、取付部12から引掛け係止部13を取り外す際に可動係止部26を没入可動させるための引張り操作部である。
【００５７】
上述のように構成した本実施例の作用・効果を以下に詳細に説明する。
【００５８】
本実施例を介して薄型ディスプレイＤを支持体Ｓに設けることにより、薄型ディスプレイＤは、支持体Ｓに対して回動自在且つ角度調整自在に設けられることとなり、設置場所の状況や表示内容に合わせて縦置き状態と横置き状態とに容易に配設向きを切り替えることができると共に、通行人や客人に対して薄型ディスプレイＤの画面を見易い角度に容易に調整することができる。
【００５９】
また、本実施例は、回動部２に係着した薄型ディスプレイＤを縦置き状態から横置き状態へ、或いは横置き状態から縦置き状態へ配設向きを切り替えるために薄型ディスプレイＤを９０°回動させた際、位置決め機構３によって、基盤部１に設けた落ち込み係合部５に、回動部２に設けた係合凸部６がバネ付勢により落ち込み係合して、回動部２を薄型ディスプレイＤが縦置き状態となる０°位置若しくは横置き状態となる９０°位置に容易に位置決められるので、一々、薄型ディスプレイＤの配設状態が正確に縦置き状態（垂直状態）若しくは横置き状態（水平状態）になったかどうかを確認しながら薄型ディスプレイＤを回動させる必要が無く、容易に且つ正確に薄型ディスプレイＤを縦置き状態若しくは横置き状態にすることができる。
【００６０】
しかも、本実施例は、回動部２が回動中は、この係合凸部６が基盤部１の表面にバネ付勢により当接し、この係合凸部６の当接により回動部２が回動する際に回動抵抗が生じるように構成したので、薄型ディスプレイＤを回動させる際、適度な回動抵抗が生じ、薄型ディスプレイＤが勢いよく回動せず、適正な回動速度で回動操作することができる。
【００６１】
また更に、本実施例は、回動ロック機構４を設けたことにより、所望の向きに配設した薄型ディスプレイＤの配設状態（配設向き）を保持することが容易にでき、しかも、この回動ロック機構４は、回動部２が位置決め機構３によって０°位置若しくは９０°位置に位置決められると、基盤部１に設けた基体部側係止部７の貫通孔16と、回動部２に設けた回動部側係止部８の貫通孔20とが連通状態になり、この連通状態になった貫通孔16，20に上方から（基体部側係止部７側から）係止ピン９を挿通配設するだけの極めて簡易な操作で回動部２を回動不能（ロック状態）にすることができる。
【００６２】
また、薄型ディスプレイＤの配設向きを切り替える際は、基体部側係止部７と回動部側係止部８とに挿入配設している係止ピン９を引き抜いて回動ロック機構４をロック解除し、バネ付勢により落ち込み係合部５に落ち込み係合している係合凸部６の落ち込み係合を解除させて薄型ディスプレイＤを回動することにより、容易に薄型ディスプレイＤを所望の配設向きに切り替えることができる。
【００６３】
尚、本実施例は、係合凸部６にボールプランジャを採用したことにより、少し力を入れて（バネ付勢に抗して先端部が後退する程度の力で）回動させるだけで、ボールプランジャの先端部がバネ付勢に抗して後退して落ち込み係合部５から自動で離脱して落ち込み係合が解除されるので、落ち込み係合を解除する際、特に係合凸部６を係合解除操作する必要が無い。
【００６４】
また、本実施例は、基盤部１に、回動部２の回動範囲を９０°に規制する回動規制部10を設けたので、これにより、薄型ディスプレイＤは、縦置き状態から横置き状態となる時計回りに９０°回動、又は横置き状態から縦置き状態となる反時計回りに９０°回動のいずれかしかできず、回動方向を誤ったり、回動し過ぎて、薄型ディスプレイの配設向きを上下逆向きにすることを防止できるので、回動する際、一々薄型ディスプレイＤの上下方向を確認する必要がなく容易に薄型ディスプレイＤを縦置き状態又は横置き状態に切り替えることができる。
【００６５】
このように、本実施例は、立設状態に設けた支持体Ｓに取り付けた薄型ディスプレイＤを、設置場所の状況や表示内容に合わせて縦置き状態と横置き状態とに容易に配設向きを切り替えることができ、これにより、広告、宣伝など表示したい画像や映像にマッチしたレイアウトでこれらを薄型ディスプレイＤに表示させることができるので、より高い宣伝効果を発揮することができ、更に、例えば、通常は縦置き状態で電子看板として使用し、地震や台風等の災害発生時に横置き状態にして災害緊急放送を表示することもでき、薄型ディスプレイＤを様々な用途に使用することが可能となる極めて実用性に優れた画期的な薄型ディスプレイ取り付け装置となる。
【００６６】
しかも、本実施例は、位置決め機構３により薄型ディスプレイＤを容易に縦置き状態となる０°位置及び横置き状態となる９０°位置に位置決めることができ、更に、この所望の向きに位置決めた状態の薄型ディスプレイＤをロック機構４により回動不能にして所望の配設向きの状態を保持することができる実用性に優れた画期的な薄型ディスプレイ取り付け装置となる。
【００６７】
尚、本考案は、本実施例に限られるものではなく、各構成要件の具体的構成は適宜設計し得るものである。
【符号の説明】
【００６８】
１  基盤部
２  回動部
３  位置決め機構
４  回動ロック機構
５  落ち込み係合部
６  係合凸部
７  基体部側係止部
８  回動部側係止部
８Ａ  ０°位置回動部側係止部
８Ｂ  ９０°位置回動部側係止部
９  係止ピン
10  回動規制部
11  取付用基体部
12  取付部
13  引掛け係止部
Ｄ  薄型ディスプレイ
Ｓ  支持体
【図１】
0003182782.tif 000003
【図２】
0003182782.tif 000004
【図３】
0003182782.tif 000005
【図４】
0003182782.tif 000006
【図５】
0003182782.tif 000007
【図６】
0003182782.tif 000008
【図７】
0003182782.tif 000009
【図８】
0003182782.tif 000010
【図９】
0003182782.tif 000011
【図１０】
0003182782.tif 000012
【図１１】
0003182782.tif 000013
【図１２】
0003182782.tif 000014